(57)【要約】      （修正有）【課題】包装箱の組み立てや展示販売の作業を容易にし、展示した物品の情報を確実に表示できる包装箱を提供する。【解決手段】相互に平行な一対の第１縁辺および第１縁辺の延在方向と直交する相互に平行な一対の第２縁辺によって仕切られる矩形の底壁部１１と、一対の第１縁辺から底壁部に対してそれぞれ直角に立ち上がる一対の第１側壁部１２と、一対の第２縁辺の一方から底壁部に対して直角に立ち上がる第２側壁部１３と、一対の第２縁辺の他方から底壁部に対して鋭角をなして立ち上がる表示部１４と、表示部に連続し第２縁辺と平行な第３縁辺から折り返された第３側壁部とを備える。【選択図】図１
0003200799.tif 000002
【実用新案登録請求の範囲】
【請求項１】
相互に平行な一対の第１縁辺およびこれら第１縁辺の延在方向と直交する相互に平行な一対の第２縁辺によって仕切られる矩形の底壁部と、
前記一対の第１縁辺から前記底壁部に対してそれぞれ直角に立ち上がる一対の第１側壁部と、
前記一対の第２縁辺の一方から前記底壁部に対して直角に立ち上がる第２側壁部と、
前記一対の第２縁辺の他方から前記底壁部に対して鋭角をなして立ち上がる表示部と、
前記表示部に連続し前記第２縁辺と平行な第３縁辺から折り返された第３側壁部とを備えたことを特徴とする包装箱。
【請求項２】
相互に平行な一対の第１縁辺およびこれら第１縁辺の延在方向と直交する相互に平行な一対の第２縁辺によって仕切られる矩形の底壁部と、
前記一対の第１縁辺から前記底壁部に対して直角に立ち上がる第１の外面部と、前記第１の外面部に連続し前記一対の第１縁辺と平行な一対の第３縁辺から折り返された第１の内面部とを有する一対の第１側壁部と、
前記一対の第２縁辺の一方から前記底壁部に対して直角に立ち上がる第２の外面部と、前記第２の外面部に連続し前記一対の第２縁辺と平行な一対の第４縁辺の一方から折り返された第２の内面部とを有する第２側壁部と、
前記一対の第２縁辺の他方から前記底壁部に対して鋭角をなして立ち上がる表示部と、
前記表示部に連続し前記一対の第４縁辺の他方から折り返された第３側壁部とを備えたことを特徴とする包装箱。
【請求項３】
相互に平行な一対の第１折り曲げ線およびこれら第１折り曲げ線の延在方向と直交する相互に平行な一対の第２折り曲げ線によって仕切られる矩形の底壁部と、
前記底壁部から前記一対の第１折り曲げ線を介してそれぞれ延在する一対の第１側壁部と、
前記底壁部から前記一対の第２折り曲げ線の一方を介して延在する外面部と、前記外面部から前記一対の第２折り曲げ線に平行な一対の第３折り曲げ線の一方を介して延在する内面部とを有する第２側壁部と、
前記底壁部から前記一対の第２折り曲げ線の他方を介して延在する表示部と、
前記表示部から前記一対の第２折り曲げ線に平行な一対の第３折り曲げ線の他方を介して延在する第３側壁部と、
前記一対の第１側壁部の両端から前記一対の第１折り曲げ線と直交する一対の第４折り曲げ線を介してそれぞれ延在する側壁補強部とを備え、
前記内面部の延在方向の端部に突出して第１の突起部が形成され、前記一対の第２折り曲げ線の一方に沿って前記第１の突起部が差し込まれる第１の係止穴が形成され、
前記第３側壁部の延在方向の端部に突出して第２の突起部が形成され、前記一対の第２折り曲げ線の他方よりも中央側の前記底壁部の前記一対の第４折り曲げ線の一方の延長線上に沿った位置に、前記第２の突起部が差し込まれる第２の係止穴が形成され、
前記一対の第２折り曲げ線の間隔は、前記一対の第１折り曲げ線の長さよりも長いことを特徴とする包装箱のブランクシート。
【請求項４】
相互に平行な一対の第１折り曲げ線およびこれら第１折り曲げ線の延在方向と直交する相互に平行な一対の第２折り曲げ線によって仕切られる矩形の底壁部と、
前記底壁部から前記一対の第１折り曲げ線を介して延在する第１の外面部と、前記第１の外面部から前記一対の第１折り曲げ線に平行な一対の第３折り曲げ線を介して延在する第１の内面部とを有する一対の第１側壁部と、
前記底壁部から前記一対の第２折り曲げ線の一方を介して延在する第２の外面部と、前記第２の外面部から前記一対の第２折り曲げ線に平行な一対の第４折り曲げ線の一方を介して延在する第２の内面部とを有する第２側壁部と、
前記底壁部から前記一対の第２折り曲げ線の他方を介して延在する表示部と、
前記表示部から前記一対の第４折り曲げ線の他方を介して延在する第３側壁部と、
前記一対の第１側壁部の両端から第５折り曲げ線を介してそれぞれ延在する側壁補強部とを備え、
前記第１の外面部の前記表示部側の端部は、前記一対の第１折り曲げ線から所定の傾斜角で傾斜され、包装箱の組立時に前記表示部の側縁辺と接合されることを特徴とする包装箱のブランクシート。
【考案の詳細な説明】
【技術分野】
【０００１】
本考案は、物品を梱包して搬送するための包装箱およびそのブランクシートに関し、特に搬送先で物品を展示および販売するトレイ型の包装箱およびそのブランクシートに関する。
【背景技術】
【０００２】
従来、トレイ型の包装箱に梱包されて搬送された物品をその包装箱に収容したまま店頭などで販売する場合に、収容された物品の商品名や生産地等の情報が記入された表示パネル等を包装箱に取り付けて展示していた。この取り付け作業は販売者等が店頭等で行っているため、物品の生産者等が意図しない表示ミスが発生するおそれがあった。
【０００３】
このようなミスを防止するために、包装箱の側面の一部に表示部を形成することが考えられていたが、この場合には、表示部を形成する面積が限られるので小さな表示部しか形成できず、消費者が商品の情報を確認し難いために販売促進効果を得ることができないという問題がある。
【０００４】
このような問題に対し、例えば、特許文献１では、二重構造をなす端壁を構成する外面部と内面部との間に第１および第２表示部を設け、展示する際には、第１表示部を上向きに引き上げることにより、反対側に位置する第２表示部を表出させることができる包装箱が提案されている。これにより、表示部を大きな面積で形成することができるため、収容する商品に基づく所定の表示を適切に施して、十分な販売促進効果を得ることができるとされている。
【先行技術文献】
【特許文献】
【０００５】
【特許文献１】特開２００９−１７３３３０号公報
【考案の概要】
【考案が解決しようとする課題】
【０００６】
しかしながら、特許文献１の包装箱の表示部は、包装箱の一部を破断させてから引き上げて使用するため、展示までの作業が煩雑になる。また、作業者によって表示部の引き上げ方が異なることで、表示部が見にくくなったり、倒れて見えなくなったりするおそれがある。さらに、包装箱を移動させる際に周りの陳列物等にぶつかって表示部が傾いたり、包装箱からちぎれてしまったりするおそれがあるという問題もある。
【０００７】
本考案は、このような問題に鑑みてなされたもので、その目的とするところは、包装箱の組み立てや展示販売の作業を容易にし、展示した物品の情報を確実に表示できる包装箱およびそのブランクシートを提供することにある。
【課題を解決するための手段】
【０００８】
本考案は、このような目的を達成するために、相互に平行な一対の第１縁辺およびこれら第１縁辺の延在方向と直交する相互に平行な一対の第２縁辺によって仕切られる矩形の底壁部と、一対の第１縁辺から底壁部に対してそれぞれ直角に立ち上がる一対の第１側壁部と、一対の第２縁辺の一方から底壁部に対して直角に立ち上がる第２側壁部と、一対の第２縁辺の他方から底壁部に対して鋭角をなして立ち上がる表示部と、表示部に連続し第２縁辺と平行な第３縁辺から折り返された第３側壁部とを備えたことを特徴とする。
【考案の効果】
【０００９】
以上説明したように、本考案によれば、包装箱の組み立てや展示販売の作業を容易にし、展示した物品の情報を確実に表示できる包装箱およびそのブランクシートを提供することができる。
【図面の簡単な説明】
【００１０】
【図１】本考案の一実施形態に係る包装箱を示す斜視図である。
【図２】本考案の一実施形態に係る包装箱の展開図である。
【図３】本考案の他の実施形態に係る包装箱を示す斜視図である。
【図４】本考案の他の実施形態に係る包装箱の展開図である。
【図５】本考案の他の実施形態に係る包装箱の組み立て途中の状態を表す立体投影図である。
【図６】本考案の他の実施形態に係る包装箱の組み立て途中の状態を表す立体投影図である。
【考案を実施するための形態】
【００１１】
以下、図面を参照しながら本考案の実施形態について詳細に説明する。しかしながら、本考案はこれらの実施形態のみに限らず、本考案の概念に帰属する他の包装箱およびそのブランクシートも包含するものである。なお、以下の実施形態１および２の包装箱およびそのブランクシートの形態は、互いに組み合わせることも可能である。
【００１２】
［実施形態１］
本考案の実施形態１について、図１および図２を参照しながら詳細に説明する。しかしながら、本考案はこのような実施形態のみに限らず、要求される特性や機能などに応じてその構成を適宜変更することが可能である。
【００１３】
本考案の実施形態１による包装箱の外観を図１に示し、この包装箱のブランクシートの外観を図２に示す。すなわち、図１に示すような、例えば、野菜や果物等を収容し店頭などで展示販売するための本実施形態におけるトレイ型の包装箱１０は、シングルフルートの両面段ボール原紙から得られる図２に示すようなブランクシートを用いて組み立てられる。しかしながら、このような包装箱１０を構成する材料として、複数回に亙って反復使用可能なプラスチックなどの材料を用いたもので構成することも可能であり、本実施形態のような段ボール原紙に限定されない。この包装箱１０は、矩形の底壁部１１と、一対の第１側壁部１２と、第２側壁部１３と、表示部１４と、第３側壁部１５と、第１側壁補強部１６と、第２側壁補強部１７とを備える。
【００１４】
底壁部１１は、相互に平行な一対の第１縁辺、すなわち第１折り曲げ線Ｌ１と、これら第１折り曲げ線Ｌ１の延在方向と直交する相互に平行な一対の第２縁辺、すなわち第２折り曲げ線Ｌ２ＡおよびＬ２Ｂとで仕切られている。一対の第１側壁部１２および第２側壁部１３は、底壁部１１からそれぞれ直角に立ち上がり、底壁部１１の三方向を取り囲んだ状態となっている。
【００１５】
第２側壁部１３は、底壁部１１から第２折り曲げ線Ｌ２Ａで直角に立ち上がる外面部１３Ａと、外面部１３Ａに連続し、組立状態で第２折り曲げ線Ｌ２Ａと平行な第３縁辺、すなわち第３折り曲げ線Ｌ３Ａから底壁部１１に垂直に折り返されて底壁部１１まで延在するように形成された内面部１３Ｂを有している。本実施形態では、相互に平行な２本の第３折り曲げ線Ｌ３Ａが所定の間隔を空けて形成されている。
【００１６】
表示部１４は、一対の折り曲げ線Ｌ１をその延在方向に所定の距離Ｄだけ延長させた位置に形成された第２折り曲げ線Ｌ２Ｂで底壁部１１から所定の傾斜角Ｒ１をなして立ち上がっている。
【００１７】
第３側壁部１５は、表示部１４に連続し、組立状態で第２折り曲げ線Ｌ２Ｂと平行な第３縁辺、すなわち第３折り曲げ線Ｌ３Ｂから第２側壁部１３に平行に折り返されて底壁部１１まで延在するように形成されている。本実施形態では、相互に平行な２本の第３折り曲げ線Ｌ３Ｂが隣接して形成されている。
【００１８】
第１側壁補強部１６は、一対の第１側壁部１２の第２側壁部１３側から第４縁辺、すなわち第４折り曲げ線Ｌ４Ａを介してそれぞれ第２側壁部１３と平行に延在し、第２側壁部１３に重ね合わされている。
【００１９】
第２側壁補強部１７は、一対の第１側壁部１２の表示部１４側から第５縁辺、すなわち第４折り曲げ線Ｌ４Ｂを介してそれぞれ表示部１４と平行に延在している。各第２側壁補強部１７には、延在方向の先端付近に切込み１８が形成され、相互に切込み１８を挟み込んだ状態で第３側壁部１５に重ね合わされている。
【００２０】
さらに、第３側壁部１５の延在方向の端部中央には、第３折り曲げ線Ｌ３Ｂに平行な第６縁辺、すなわち第６折り曲げ線Ｌ５を介して底壁部１１と平行に延在する略舌状の差し込みタブ１９が連続されている。
【００２１】
本実施形態におけるブランクシート１０Ｂは、底壁部１１と第１側壁部１２との境界を画成する第１折り曲げ線Ｌ１が段ボールの横罫線となるように設定されている。また、底壁部１１と第２側壁部１３との境界を画成する第２折り曲げ線Ｌ２Ａおよび底壁部１１と表示部１４との境界を画成する第２折り曲げ線Ｌ２Ｂが段ボールの縦罫線となるように設定されている。これにより、包装箱１０を構成する各部の第１折り曲げ線Ｌ１、第２折り曲げ線Ｌ２ＡおよびＬ２Ｂに沿った曲げ剛性を少なくともブランクシート１０Ｂ自体の剛性によって確保することができる。しかしながら、本考案はこれに限定されない。
【００２２】
本実施形態における包装箱１０は、第２側壁部１３の内面部１３Ｂと底壁部１１とを連結するための突起部２１と係止穴２２とをさらに有する。突起部２１は、内面部１３Ｂの延在方向の端部に間隔を空けて２か所に突出して形成されている。係止穴２２は、第２折り曲げ線Ｌ２Ａに沿って第２折り曲げ線Ｌ２Ａの一部を含むように間隔を空けて２か所に形成され、組立状態で突起部２１に差し込まれて内面部１３Ｂと底壁部１１とを連結する。
【００２３】
同様に、本実施形態における包装箱１０は、第３側壁部１５と底壁部１１とを連結するための突起部２３と係止穴２４とをさらに有する。突起部２３は、第３側壁部１５の延在方向の端部に間隔を空けて２か所に突出して形成されている。係止穴２４は、第２折り曲げ線Ｌ２Ｂよりも中央側の底壁部１１の第４折り曲げ線Ｌ４Ｂの延長線上に沿って間隔を空けて２か所に形成されている。係止穴２４は、組立状態で突起部２１に差し込まれて第３側壁部１５と底壁部１１とを連結する。
【００２４】
本実施形態では、ブランクシート１０Ｂの全長は７４４ｍｍであり、全幅は４０６ｍｍであるが、本考案のブランクシートの寸法はこれに限られない。
【００２５】
このように、本実施形態における包装箱１０は、第１側壁補強部１６および第２側壁補強部１７を備え、第２側壁部１３の内面部１３Ｂと底壁部１１とを連結し、第３側壁部１５と底壁部１１とを連結している。これにより、簡易タイプであっても包装箱１０の剛性を高めることができる。
【００２６】
本実施形態では、包装箱１０に商品等を直接収容するようにしたが、プラスチック製パックなどの図示しない収容トレイにあらかじめ収容した状態で、この収容トレイと共に包装箱１０に収容するようにしてもよい。
【００２７】
次に、本実施形態におけるブランクシート１０Ｂから包装箱１０を組み立てる方法について図１および図２を参照しながら説明する。
【００２８】
まず、ブランクシート１０Ｂの第１折り曲げ線Ｌ１から底壁部１１に対して直角に一対の第１側壁部１２を折り曲げる。次に、第４折り曲げ線Ｌ４Ａから一対の第１側壁部１２の対向する面に対して内向きに直角に第１側壁補強部１６を折り曲げ、第４折り曲げ線Ｌ４Ｂから一対の第１側壁部１２の対向する面に対して内向きに直角に第２側壁補強部１７を折り曲げる。第２側壁補強部１７を折り曲げた後に、各第２側壁補強部１７の延在方向の先端付近に形成された切込み１８を相互に挟み込み、第２側壁補強部１７同士を固定させる。
【００２９】
次に、ブランクシート１０Ｂの第２折り曲げ線Ｌ２Ａから底壁部１１に対して直角に第２側壁部１３の外面部１３Ａを折り曲げ、第３折り曲げ線Ｌ３Ａから底壁部１１に対して垂直に内面部１３Ｂを折り返す。折り返した内面部１３Ｂの延在方向の端部に突出して形成された突起部２１を、第２折り曲げ線Ｌ２Ａに沿って第２折り曲げ線Ｌ２Ａの一部を含むように形成された係止穴２２に差し込んで内面部１３Ｂと底壁部１１とを連結する。
【００３０】
そして、ブランクシート１０Ｂの第２折り曲げ線Ｌ２Ｂから底壁部１１に対して所定の傾斜角Ｒ１をなして表示部１４を折り曲げ、第３折り曲げ線Ｌ３Ｂから底壁部１１に対して垂直に第３側壁部１５を折り返す。その後、折り返した第３側壁部１５の延在方向の端部中央に連続されている舌状の差し込みタブ１９を第６折り曲げ線Ｌ５から折り曲げて、固定させている一対の第２側壁補強部１７と底壁部１１との間に差し込む。さらに、折り返した第３側壁部１５の延在方向の端部に突出して形成された突起部２３を、第２折り曲げ線Ｌ２Ｂよりも中央側の底壁部１１の第４折り曲げ線Ｌ４Ｂの延長線上に沿った位置に、形成された係止穴２４に差し込んで第３側壁部１５と底壁部１１とを連結する。
【００３１】
本実施形態の包装箱１０は、特に傾斜面に十分な大きさの表示部１４を形成していることにより、物品を梱包して搬送する前に表示部１４に物品の情報などの必要事項を見やすく印刷しておくことができる。また、表示部１４は包装箱１０に固定され、物品を展示するための特別な作業も不要であるため、展示までの作業が容易であるだけでなく、商品を展示する際に表示部が見にくくなる等のおそれもない。
【００３２】
したがって、本実施形態の包装箱１０は、包装箱１０の組み立てや展示販売の作業を容易にし、展示した物品の情報を確実に表示することができる。
【００３３】
［実施形態２］
本考案の実施形態２について、図３ないし図６を参照しながら詳細に説明する。しかしながら、本考案はこのような実施形態のみに限らず、要求される特性や機能などに応じてその構成を適宜変更することが可能である。本実施形態の包装箱３０が実施形態１の包装箱１０と異なる点は、額縁タイプの包装箱であって、側壁部が二重構造を形成している点である。
【００３４】
本考案の実施形態２による包装箱の外観を図３に示し、この包装箱のブランクシートの外観を図４に示す。すなわち、図３に示すような、例えば、野菜や果物等を収容し店頭などで展示販売するための本実施形態におけるトレイ型の包装箱３０は、実施形態１と同様に、シングルフルートの両面段ボール原紙から得られる図４に示すようなブランクシートを用いて組み立てられる。しかしながら、このような包装箱３０を構成する材料として、複数回に亙って反復使用可能なプラスチックなどの材料を用いたもので構成することも可能であり、本実施形態のような段ボール原紙に限定されない。この包装箱３０は、矩形の底壁部３１と、一対の第１側壁部３２と、第２側壁部３３と、表示部３４と、第３側壁部３５と、第１側壁補強部３６と、第２側壁補強部３７とを備える。
【００３５】
底壁部３１は、相互に平行な一対の第１縁辺、すなわち第１折り曲げ線Ｍ１と、これら第１折り曲げ線Ｍ１の延在方向と直交する相互に平行な一対の第２縁辺、すなわち第２折り曲げ線Ｍ２ＡおよびＬ２Ｂとで仕切られている。一対の第１側壁部３２および第２側壁部３３は、底壁部３１からそれぞれ直角に立ち上がり、底壁部３１の三方向を取り囲んだ状態となっている。
【００３６】
一対の第１側壁部３２は、底壁部３１から第１折り曲げ線Ｍ１で直角に立ち上がる外面部３２Ａと、外面部３２Ａに連続し第１折り曲げ線Ｍ１と平行な第３縁辺、すなわち第３折り曲げ線Ｍ３から外面部３２Ａに直角に折り曲げられて延在する折り曲げ部３２Ｂと、折り曲げ部３２Ｂに連続し第３折り曲げ線Ｍ３と平行な第５縁辺、すなわち第６折り曲げ線Ｍ６から、組立状態で底壁部３１に垂直に折り返されて底壁部３１まで延在するように形成された内面部３２Ｃを有している。
【００３７】
第２側壁部３３は、底壁部３１から第２折り曲げ線Ｍ２Ａで直角に立ち上がる外面部３３Ａと、外面部３３Ａに連続し第２折り曲げ線Ｍ２Ａと平行な第４縁辺、すなわち第４折り曲げ線Ｍ４Ａから外面部３３Ａに直角に折り曲げられて延在する折り曲げ部３３Ｂと、折り曲げ部３３Ｂに連続し第４折り曲げ線Ｍ４Ａと平行な第６縁辺、すなわち第７折り曲げ線Ｍ７から、組立状態で底壁部３１に垂直に折り返されて底壁部３１まで延在するように形成された内面部３３Ｃを有している。
【００３８】
表示部３４は、底壁部３１から第２折り曲げ線Ｌ２Ｂで所定の傾斜角Ｒ２をなして立ち上がっている。また、表示部３４は、第２折り曲げ線Ｍ２Ｂと平行な第４縁辺、すなわち第４折り曲げ線Ｍ４Ｂから底壁部３１に平行な方向に折り曲げられて延在する折り曲げ部３４Ｂと連続している。
【００３９】
第３側壁部３５は、折り曲げ部３４Ｂに連続し第４折り曲げ線Ｍ４Ｂと平行な第７縁辺、すなわち第８折り曲げ線Ｍ８から、組立状態で第２側壁部３３に平行に折り返されて底壁部３１まで延在するように形成されている。
【００４０】
各外面部３２Ａの第２側壁部３３側の端部には、第５縁辺、すなわち第５折り曲げ線Ｍ５Ａを介してそれぞれ第２側壁部３３と平行に延在する第１側壁補強部３６が設けられている。これら第１側壁補強部３６は、組立状態で互いの延在方向の先端部が近接するように形成されている。
【００４１】
同様に、各内面部３２Ｃの第２側壁部３３側の端部には、第５縁辺、すなわち第５折り曲げ線Ｍ５Ｂを介してそれぞれ第２側壁部３３と平行に延在する第２側壁補強部３７が設けられている。各第２側壁補強部３７には、延在方向の先端付近に切込み３８が形成され、相互に切込み３８を挟み込んだ状態で第２側壁部３３に重ね合わされている。
【００４２】
各外面部３２Ａの表示部３４側の端部は、第１折り曲げ線Ｍ１から傾斜角θで傾斜した第５縁辺、すなわち第５折り曲げ線Ｍ５Ｃが形成されている。傾斜角θは、組立状態での底壁部３１からの表示部３４の傾きの角度と同じであり、第５折り曲げ線Ｍ５Ｃの長さと第１折り曲げ線Ｍ１の延長上にある表示部３１の延在方向の縁辺の長さとは等しく形成されている。
【００４３】
また、各外面部３２Ａの表示部３４側の端部には、第５折り曲げ線Ｍ５Ｃを介してそれぞれ第５折り曲げ線Ｍ５Ｃと垂直な方向に延在する第３側壁補強部４１が設けられている。
【００４４】
同様に、各内面部３２Ｃの表示部３４側の端部には、内面部３２Ｃから第５縁辺、すなわち第５折り曲げ線Ｍ５Ｄを介してそれぞれ表示部３４側と平行に延在する第４側壁補強部４２が設けられている。各第４側壁補強部４２には、延在方向の先端付近に切込み４３が形成され、相互に切込み４３を挟み込んだ状態で第３側壁部３５に重ね合わされている。
【００４５】
本実施形態におけるブランクシート３０Ｂは、底壁部３１と第１側壁部３２との境界を画成する第１折り曲げ線Ｍ１が段ボールの横罫線となるように設定されている。また、底壁部３１と第２側壁部３３との境界を画成する第２折り曲げ線Ｍ２Ａおよび底壁部３１と表示部３４との境界を画成する第２折り曲げ線Ｍ２Ｂが段ボールの縦罫線となるように設定されている。これにより、包装箱３０を構成する各部の第１折り曲げ線Ｍ１、第２折り曲げ線Ｍ２ＡおよびＬ２Ｂに沿った曲げ剛性を少なくともブランクシート３０Ｂ自体の剛性によって確保することができる。しかしながら、本考案はこれに限定されない。
【００４６】
本実施形態における包装箱３０は、一対の第１側壁部３２の内面部３２Ｃと第２側壁部３３の内面部３３Ｃとを連結するための突起部４５と突起部４５を差し込むための切断線４６とをさらに有する。突起部４５は、内面部３３Ｃの両側縁部の延在方向先端に突出して形成されている。切断線４６は、内面部３２Ｃと第２側壁補強部３７との境界部分に設けられた第５折り曲げ線Ｍ５Ｂの延長上の外側端部に略Ｌ字形状に形成されている。組立状態で突起部４５が切断線４６に差し込まれて内面部３２Ｃと内面部３３Ｃとを連結する。また、第２側壁部３３の内面部３３Ｃの延在方向の端部中央には、半円弧状の切り欠き４７が形成されている。
【００４７】
同様に、本実施形態における包装箱３０は、一対の第１側壁部３２の内面部３２Ｃと第３側壁部３５とを連結するための突起部４８と突起部４８を差し込むための切断線４９とをさらに有する。突起部４８は、第３側壁部３５の両側縁部の延在方向先端に突出して形成されている。切断線４９は、内面部３２Ｃと第４側壁補強部４２との境界部分に設けられた第５折り曲げ線Ｍ５Ｄの延長上の外側端部に略Ｌ字形状に形成されている。組立状態で突起部４８が切断線４９に差し込まれて内面部３２Ｃと第３側壁部３５とを連結する。また、第３側壁部３５の延在方向の端部中央には、半円弧状の切り欠き５０が形成されている。
【００４８】
本実施形態では、ブランクシート３０Ｂの全長は６５７ｍｍであり、全幅は４８０ｍｍである。また、ブランクシート３０Ｂの全長方向の各部の長さは、底壁部３１が３４８ｍｍ、外面部３３Ａが７０ｍｍ、折り曲げ部３３Ｂが１２ｍｍ、内面部３３Ｃが６８ｍｍ、表示部３４が８２ｍｍ、折り曲げ部３４Ｂが９ｍｍ、第３側壁部３５が６８ｍｍである。また、ブランクシート３０Ｂの全幅方向の各部の幅は、底壁部３１が１９４ｍｍ、外面部３２Ａが６８ｍｍ、折り曲げ部３２Ｂが９ｍｍ、内面部３２Ｃが６６ｍｍである。ただし、本考案のブランクシートの寸法はこれに限られない。
【００４９】
このように、本実施形態における包装箱３０は、第１側壁補強部３６ないし第４側壁補強部４２を備え、第１側壁部３２の内面部３２Ｃと第２側壁部３３の内面部３３Ｃとを連結し、第１側壁部３２の内面部３２Ｃと第３側壁部３５とを連結している。これにより、簡易タイプよりもさらに包装箱３０の剛性を高めることができる。
【００５０】
本実施形態では、包装箱３０に商品等を直接収容するようにしたが、プラスチック製パックなどの図示しない収容トレイにあらかじめ収容した状態で、この収容トレイと共に包装箱３０に収容するようにしてもよい。
【００５１】
次に、本実施形態におけるブランクシート３０Ｂから包装箱３０を組み立てる方法について図３ないし図６を用いて説明する。図５は、本実施形態における包装箱３０の組み立て途中の状態を表示部３４側から見た立体投影図である。図６は、本実施形態における包装箱３０の組み立て途中の状態を第２側壁部３３側から見た立体投影図である。
【００５２】
まず、ブランクシート３０Ｂの第１折り曲げ線Ｍ１から底壁部３１に対して内向きに直角に第１側壁部３２の外面部３２Ａを折り曲げ、第３折り曲げ線Ｍ３から外面部３２Ａに対して内向きに直角に折り曲げ部３２Ｂを折り曲げ、第６折り曲げ線Ｍ６から折り曲げ部３２Ｂに対して内向きに直角に内面部３２Ｃを折り返す。次に、第５折り曲げ線Ｍ５Ｂから一対の第１側壁部３２の対向する面に対して内向きに直角に第２側壁補強部３７を折り曲げる。第２側壁補強部３７を折り曲げた後に、各第２側壁補強部１７の延在方向の先端付近に形成された切込み３８を相互に挟み込み、第２側壁補強部３７同士を固定させる。第２側壁補強部３７同士を固定させた後に、第５折り曲げ線Ｍ５Ａから一対の第１側壁部３２の対向する面に対して内向きに直角に第１側壁補強部３６を折り曲げる。
【００５３】
次に、ブランクシート３０Ｂの第２折り曲げ線Ｍ２Ａから底壁部１１に対して内向きに直角に第２側壁部３３の外面部３３Ａを折り曲げ、第４折り曲げ線Ｍ４Ａから外面部３３Ａに対して内向きに直角に折り曲げ部３３Ｂを折り曲げ、第７折り曲げ線Ｍ７から底壁部１１方向に第１側壁補強部３６および第２側壁補強部３７を巻き込んで内面部３３Ｃを折り返す。折り返した内面部３３Ｃの両側縁部の先端に形成された突起部４５を、切断線４６に差し込んで内面部３２Ｃと内面部３３Ｃとを連結する。
【００５４】
そして、第５折り曲げ線Ｍ５Ｄから一対の第１側壁部３２の対向する面に対して内向きに直角に第４側壁補強部４２を折り曲げる。第４側壁補強部４２を折り曲げた後に、各第４側壁補強部４２の延在方向の先端付近に形成された切込み４３を相互に挟み込み、第４側壁補強部４２同士を固定させる。第４側壁補強部４２同士を固定させた後に、第５折り曲げ線Ｍ５Ｃから一対の第１側壁部３２の対向する面に対して内向きに直角に第３側壁補強部４１を折り曲げる。
【００５５】
その後、ブランクシート３０Ｂの第２折り曲げ線Ｍ２Ｂから底壁部１１に対して傾斜角θをなして表示部１４を内向きに折り曲げる。このとき、第５折り曲げ線Ｍ５Ｃと表示部３４の両側縁辺は接合されている。また、第４折り曲げ線Ｍ４Ｂから表示部３４に対して内向きに底壁部１１に平行に折り曲げ部３４Ｂを折り曲げ、第８折り曲げ線Ｍ８から底壁部１１方向に第４側壁補強部４２を巻き込んで第３側壁部３５を折り返す。折り返した第３側壁部３５の両側縁部の先端に形成された突起部４８を、切断線４９に差し込んで内面部３２Ｃと第３側壁部３５とを連結する。
【００５６】
本実施形態の包装箱３０は、上記構成により、実施形態１の包装箱１０と同様の効果を有することができる。加えて、本実施形態の包装箱３０は、上述のとおり、第１側壁補強部３６ないし第４側壁補強部４２を備え、第１側壁部３２の内面部３２Ｃと第２側壁部３３の内面部３３Ｃとを連結し、第１側壁部３２の内面部３２Ｃと第３側壁部３５とを連結している。これにより、実施形態１の簡易タイプの包装箱１０よりも剛性を高めることができるので、梱包した物品を傷つけることなくより安全に搬送することができる。
【符号の説明】
【００５７】
１０、３０  包装箱
１０Ｂ、３０Ｂ  ブランクシート
１１、３１  底壁部
１２、３２  第１側壁部
１３、３３  第２側壁部
１３Ａ、３２Ａ、３３Ａ  外面部
１３Ｂ、３２Ｃ、３３Ｃ  内面部
１４、３４  表示部
１５、３５  第３側壁部
１６、３６  第１側壁補強部
１７、３７  第２側壁補強部
１８、３８、４３  切込み
１９  差し込みタブ
２１、２３、４５、４８  突起部
２２、２４  係止穴
３２Ｂ、３３Ｂ、３４Ｂ  折り曲げ部
４１  第３側壁補強部
４２  第４側壁補強部
４６、４９  切断線
４７、５０  切り欠き
Ｒ１、Ｒ２、θ  傾斜角
Ｌ１  第１折り曲げ線（第１縁辺）
Ｌ２、Ｌ２Ａ、Ｌ２Ｂ  第２折り曲げ線（第２縁辺）
Ｌ３、Ｌ３Ａ、Ｌ３Ｂ  第３折り曲げ線（第３縁辺）
Ｌ４Ａ、Ｌ４Ｂ  第４折り曲げ線（第４縁辺）
Ｌ５  第５折り曲げ線（第５縁辺）
Ｍ１  第１折り曲げ線（第１縁辺）
Ｍ２Ａ、Ｍ２Ｂ  第２折り曲げ線（第２縁辺）
Ｍ３  第３折り曲げ線（第３縁辺）
Ｍ４Ａ、Ｍ４Ｂ  第４折り曲げ線（第４縁辺）
Ｍ５Ａ、Ｍ５Ｂ、Ｍ５Ｃ、Ｍ５Ｄ  第５折り曲げ線（第５縁辺）
Ｍ６  第６折り曲げ線（第６縁辺）
Ｍ７  第７折り曲げ線（第７縁辺）
Ｍ８  第８折り曲げ線（第８縁辺）
【図１】
0003200799.tif 000003
【図２】
0003200799.tif 000004
【図３】
0003200799.tif 000005
【図４】
0003200799.tif 000006
【図５】
0003200799.tif 000007
【図６】
0003200799.tif 000008